(57)【要約】【課題】大線径のコイルスプリングの巻き数、ばね特性を調整する構造を提供する。【解決手段】外周式回転体１６の内周面のネジ溝１６２とスプリングホルダ１８の外周面の溝１８２の間に大線径コイルスプリング１４を嵌合し、伸縮外管１２にこれらを嵌合してその溝１２２に沿って軸方向に摺動可能にセットし、加圧力調整部２０の内ネジ溝２０１と伸縮外管外周１２４のネジ溝とを嵌合し、加圧力調整部を回転して軸方向に送ることによって大径スプリングをスプリング圧制部１０４との間に加圧力を加えながら、外周回転体１６からスプリングホルダ１８との間にある大径スプリングに圧縮力を加えてスプリング特性を変える。【選択図】図２
0003120182.tif 000002
【実用新案登録請求の範囲】
【請求項１】
大線径コイルスプリングと、伸縮内管と、伸縮外管と、加圧力調整部と、スプリングホルダと、外周式回転体と、より構成される大線径コイルスプリングの調整構造において、
該大線径コイルスプリングは、一端が開放され、他端が平坦な面をなして閉じており、
該伸縮内管は、その一端の外径が該伸縮外管に対応して嵌合して軸方向に摺動して長さ調製可能とすると共に、他端は該大線径コイルスプリングの閉口部と相互に緊密に圧迫するスプリング圧制部を具有し、
該伸縮外管は、内径が該伸縮内管の外径に対応して軸方向摺動可能な構成をなし、外周には軸方向の溝とネジ山を具有し、また該軸方向の溝が該スプリングホルダの管壁を穿設固定するボルトに対応すると共に該ネジ山と該加圧力調整部の内周のネジ山とがそれぞれ対応し、
該加圧力調整部は、中空を呈し、且つその内周に設けたネジ山が該伸縮外管の外周のネジ山とが対応し、
該スプリングホルダは、同じく中空であって、且つその内周と該伸縮外管の外周とが嵌合され、外周にはスプリング溝と複数のボルトが設けられ、該複数のボルトを上記のとおり該スプリングホルダの管壁を穿設固定すると共に、該大線径コイルスプリング開口部を該スプリング溝に固定し、
該外周式回転体は、同じく中空構造であって、且つ内周にネジ溝が設けられ、その溝が該スプリングホルダに固定される大線径コイルスプリングに対応する、
構成をなすことを特徴とする大線径コイルスプリングの調整構造。
【請求項２】
該加圧力調整部が回転して軸方向に移動するのに伴なって該スプリングホルダ及び外周式回転体が押圧されて軸方向に移動することにより、該大線径コイルスプリングの加圧力を変えることを特徴とする請求項１記載の大線径コイルスプリングの調整構造。
【請求項３】
該スプリングホルダは、該複数のボルトがその管壁が穿設固定されと共に該伸縮外管の軸方向の溝に嵌合して摺動することより、軸方向にのみ移動可能であることを特徴とする請求項１記載の大線径コイルスプリングの調整構造。
【請求項４】
該外周式回転体は回転して軸方向に移動するとき、該ネジ溝は該大線径コイルスプリングのスプリング素線に沿って摺動し、該外周式螺旋体の内周のネジ溝と該スプリングホルダに固定される大線径コイルスプリングとの相互の作用力により、該大線径コイルスプリングの受ける圧力により有効巻き数が変化せしめることを特徴とする請求項１記載の大線径コイルスプリングの調整構造。
【請求項５】
該外周式回転体の内周のネジ溝は螺旋形を呈した溝であり、そのピッチと該大線径コイルスプリングのピッチとは一致し、深さはスプリング素線の半径より小さいことを特徴とする請求項１記載の大線径コイルスプリングの調整構造。
【請求項６】
該スプリングホルダの外周のスプリング溝は螺旋を呈した溝であり、そのピッチと該大線径コイルスプリングのピッチとは一致し、深さはスプリング素線の半径より小さいことを特徴とする請求項１記載の大線径コイルスプリングの調整構造。
【請求項７】
該スプリングホルダのスプリング溝の螺旋の長さはスプリング係数調整の範囲を決定し、スプリング溝の長さが長いほど、該大線径コイルスプリングのスプリング係数の調整の範囲が大きくなることを特徴とする請求項１記載の大線径コイルスプリングの調整構造。
【考案の詳細な説明】
【技術分野】
【０００１】
本考案はスプリングの調整構造に係り、特に簡単な仕組みにより、スプリング係数を必要に応じて調整する大線径コイルスプリングの調整構造に関わる。
【背景技術】
【０００２】
公知のコイルスプリングは、製造時に予め定められた規格に基づき製造されることから、特に特殊な規格に応じたスプリングを製造する際には、かなりの生産コストが生じてしまう。
そこで開発されたのが、中華民国公告第４３６５８８号の「調節可能なコイルスプリング外殻装置」であるが、これは雄外殻と雌外殻、並びに回転体より構成されるものであり、特長はコイルスプリングの一端を該雌外殻底部中心のホルダに固定し、もう一端を雄外殻内部に設置し、該回転体が外周或いは内周の複数の抵抗力を加える工具とスプリング素線との接触により、該回転体はコイルスプリングが圧力を受けて縮む、或いは引っ張られて伸びる力により有効巻き数を変化させ、該コイルスプリングのスプリング係数を調整する効果を提供する。
【特許文献１】特公平６−８１６４８号公報
【考案の開示】
【考案が解決しようとする課題】
【０００３】
しかし上述のような公知の構造は、特に大線径のコイルスプリングにおいて応用する際には効果的でない。
そこで上述の欠点に鑑み、大線径のコイルスプリングにも適する調整構造を提供すべく本考案の大線径コイルスプリングの調整構造を提供する。
【課題を解決するための手段】
【０００４】
外周式回転体が回転するとき、該外周式回転体内周のネジ溝が大線径コイルスプリングのスプリング素線に沿って回転すると同時に軸方向に移動し、該大線径コイルスプリングの受ける圧力によりその有効巻き数を変え、該大線径コイルスプリングのスプリング係数を変え、特に制振装置に用いる際、それぞれの使用状況に応じたものにすべく、該大線径コイルスプリングの受ける圧力により圧力の有効巻き数を調整することにより、該スプリング係数及びそのストロークを調整し、また、該大線径コイルスプリングの弾力に疲労が生じた際にも、本装置により受ける圧力により有効巻き数を調整し、スプリング係数を回復させて寿命を延命する。
【考案の効果】
【０００５】
大線径のコイルスプリングに適した調整構造を提供することに成功した。
【考案を実施するための最良の形態】
【０００６】
図１，２に示すように、本考案は伸縮内管１０，伸縮外管１２，スプリングホルダ１８，大線径コイルスプリング１４，外周式回転体１６，加圧力調整部２０の六つの部分より構成される。該伸縮内管１０は、一端の外周が該伸縮外管１２の内周に合わせて軸方向に摺動可能にし、長さは該大線径コイルスプリング１４の圧縮ストロークによって定める。他端にはスプリング圧制部１０４が設置され、該大線径コイルスプリング１４の閉口端（平坦側）と緊密に押し合うものであり、該大線径コイルスプリング１４に加圧力を生じさせる。該伸縮外管１２は内周が該伸縮内管１０の外周に合わせて軸方向に摺動するものであり、外周には軸方向の溝１２２とネジ山１２４を具有し、該軸方向の溝１２２は該スプリングホルダ１８上のボルト１８２が嵌合して摺動するように対応したものであり、それによって該スプリングホルダ１８は該溝１２２に沿って軸方向にのみ移動するものとし、該伸縮外管１２外周にあるネジ山１２４と該加圧力調整部２０の内周であるネジ山２０２とが対応して螺合して、その回転によりスプリングホルダを軸方向に押圧して移動することにより該大線径コイルスプリング１４の加圧力を調整するものとする。
且つ該大線径コイルスプリング１４は一端が閉口端（平坦側）であり、該伸縮内管１０のスプリング圧制部１０４と緊密に押し合い、該大線径コイルスプリング１４に加圧力を生じさせ、また他端である開口部側は該スプリングホルダ１８のスプリング溝１８４内にて固定される。
【０００７】
該スプリングホルダ１８は中空であって、その外周のスプリング溝１８４に該大線径コイルスプリング１４を半ば埋め込んで嵌合し、内周面が該伸縮外管１２の外周面上に嵌合され、複数のボルト１８２が該スプリングホルダ１８の管壁を穿設して固定され、かつ、該伸縮外管１２の溝１２２に嵌合することにより、該スプリングホルダ１８は溝１２２に沿って軸方向にのみ移動する。
該スプリングホルダ１８の外周のスプリング溝１８４は螺旋形を呈した溝であり、そのピッチは該大線径コイルスプリング１４のピッチと一致する。また深さは該コイルスプリング１４２の半径より小さく、該大線径コイルスプリング１４の開口端は該スプリング溝１８４に沿って巻きつけられ、且つ軸方向にのみ移動し、該スプリング素線１４２が該スプリング溝１８４内にて嵌合固定されており、該スプリング溝１８４の螺旋の軸方向の長さがスプリング係数の変化の範囲を決定する。つまり該スプリング溝１８４の軸方向の長さが長いほど、該大線径コイルスプリング１４は延びてスプリング係数の変化の範囲は大きくなる。また該外周式回転体１６は中空であって、該スプリングホルダとの間に大線径スプリングを固定し、該大線径コイルスプリング１４はこれらと該スプリング圧制部１０４との間で受ける圧力によりその有効巻き数を調整する。
即ち、該大線径コイルスプリング１４のスプリング係数を調整するものであり、内周面の１６２は螺旋形の溝であり、そのピッチと該大線径コイルスプリング１４のピッチと一致するものであり、深さは該スプリング素線１４２の半径周よりも少さく、該スプリング圧制部１０４上に固定された大線径コイルスプリング１４に向けて、該外周式回転体１６は回転すると共に軸方向に摺動し、該内溝１６２が該大線径コイルスプリング１４のスプリング１４２に沿って摺動するとき、該外周式回転体１６の内周面の溝１６２とスプリングホルダの溝１８４の間に固定された大径スプリングはスプリング圧制部との間で加圧され、該スプリング圧制部１０４に固定された大線径コイルスプリング１４は変形して有効巻き数が変わる。該加圧力調整部２０は、中空構造であって該大線径コイルスプリング１４の加圧力を調整するものであり、その溝２０２は該伸縮外管１２の外周のネジ山１２４と螺合しており、その回転により軸方向に移動し、該スプリングホルダ１８及び該外周式回転体１６を軸方向に加圧しつつ摺動させて該大線径コイルスプリング１４に加圧力を生じる。
【０００８】
図２に示すように、該外周式回転体１６が回転すると同時に軸方向に移動するとき、該回転体１６の溝１６２は該大線径コイルスプリング１４のスプリング素線１４２に沿って摺動するが、該外周式回転体１６の内周の該ネジ溝１６２と該スプリング圧制部１０４に固定される該大線径コイルスプリング１４との間に働く相互の圧縮力により、該大線径コイルスプリング１４は加圧圧縮されて有効巻き数が変わり、該大線径コイルスプリング１４のスプリング係数が変わる。該加圧力調整部２０が回転して軸方向に移動すると、該スプリングホルダ１８及び該外周式回転体１６を押し動かして軸方向に移動させ、該大線径コイルスプリング１４の加圧力を変える。
【図面の簡単な説明】
【０００９】
【図１】本考案の大線径コイルスプリングの調整構造における分解図である。
【図２】本考案の大線径コイルスプリングの調整構造における立体図である。
【符号の説明】
【００１０】
１０  伸縮内管
１０４  スプリング圧制部
１２  伸縮外管
１２２  軸方向の溝
１２４  ネジ山
１４  大線径コイルスプリング
１４２  スプリング素線
１６  外周式回転体
１６２  ネジ溝
１８  スプリングホルダ
１８２  ボルト
１８４  スプリング溝
２０  加圧力調整部
２０２  ネジ山
【図１】
0003120182.tif 000003
【図２】
0003120182.tif 000004